(57)【要約】【課題】本発明はシャーシーベースとカバープレートの間に位置するドライバー集積回路のクラック発生および破損を防止するプラズマディスプレイ装置を提供する。【解決手段】本発明のプラズマディスプレイ装置は、プラズマディスプレイパネル、プラズマディスプレイパネルを支持するシャーシーベース１５、シャーシーベースの一側に備えられる印刷回路ボードアセンブリー１７、プラズマディスプレイパネルの電極と印刷回路ボードアセンブリーを電気的に接続する柔軟回路２７、柔軟回路に備えられるドライバー集積回路２５、に柔軟回路およびドライバー集積回路を覆いながら、シャーシーベースに装着されるカバープレート３１を有し、カバープレートの一側第１延長線とシャーシーベースの一側第２延長線とが互いに交差する位置に提供され、カバープレートとシャーシーベースを互いに結合させる結合部５０を有する。【選択図】図２
2009128898.tif 000002
【特許請求の範囲】
【請求項１】
プラズマディスプレイパネルと、
前記プラズマディスプレイパネルを支持するシャーシーベースと、
前記シャーシーベースの一側に備えられる印刷回路ボードアセンブリーと、
前記プラズマディスプレイパネルの電極と前記印刷回路ボードアセンブリーを電気的に接続する柔軟回路と、
前記柔軟回路に備えられるドライバー集積回路と、
前記柔軟回路および前記ドライバー集積回路を覆いながら前記シャーシーベースに装着されるカバープレートと、を有し、
前記カバープレートの一側の第１延長線と前記シャーシーベースの一側の第２延長線とが互いに交差する位置に提供され、前記カバープレートと前記シャーシーベースを互いに結合させる結合部を有することを特徴とする、プラズマディスプレイ装置。
【請求項２】
前記カバープレートは、前記シャーシーベースと平行な第１プレートと、
前記第１プレートで折れ曲がり前記シャーシーベースの前記第２延長線と交差する前記第１延長線を形成する第２プレートとを有することを特徴とする、請求項１に記載のプラズマディスプレイ装置。
【請求項３】
前記結合部は、前記第２プレートに一体に形成されていることを特徴とする、請求項２に記載のプラズマディスプレイ装置。
【請求項４】
前記結合部は、前記第２プレートから前記シャーシーベースに向けて突出しており、前記シャーシーベースの一端を収容して支持する収容溝を有していることを特徴とする、請求項３に記載のプラズマディスプレイ装置。
【請求項５】
前記収容溝は、少なくとも前記シャーシーベースの両端に対応して形成されていることを特徴とする、請求項４に記載のプラズマディスプレイ装置。
【請求項６】
前記収容溝は、前記第２プレートの長さ全体にわたって形成されていることを特徴とする、請求項４に記載のプラズマディスプレイ装置。
【請求項７】
前記シャーシーベースは、前記収容溝に対応する部分に形成される耳部を有し、
前記耳部は、前記収容溝に少なくとも部分的に挿入されていることを特徴とする、請求項６に記載のプラズマディスプレイ装置。
【請求項８】
前記結合部は、前記第２プレートおよび前記シャーシーベースから分離形成され、
前記第２プレートと前記シャーシーベースの隣接する両端を互いに結合する結合部材で形成されていることを特徴とする、請求項２に記載のプラズマディスプレイ装置。
【請求項９】
前記結合部材は、前記第２プレートに向かって前記第２プレートの一端を受容支持する第１収容溝と、
前記シャーシーベースに向かって前記シャーシーベースの一端を受容支持する第２収容溝とを有することを特徴とする、請求項８に記載のプラズマディスプレイ装置。
【請求項１０】
前記シャーシーベースは、前記第２収容溝に対応する部分に形成される耳部を有し、
前記耳部は、前記第２収容溝に少なくとも部分的に挿入されていることを特徴とする、請求項９に記載のプラズマディスプレイ装置。
【請求項１１】
前記第１収容溝は、前記第２プレートの長手方向に沿って前記結合部材の長さ全体にわたって形成され、
前記第２収容溝は、前記シャーシーベースの長手方向に沿って前記結合部材の長さ全体にわたって形成されていることを特徴とする、請求項９に記載のプラズマディスプレイ装置。
【請求項１２】
前記第１収容溝は、前記第２プレートの一側端を覆うように一側を閉鎖して形成され、
前記第２収容溝は、前記シャーシーベースの一側端を覆うように一側を閉鎖して形成されていることを特徴とする、請求項９に記載のプラズマディスプレイ装置。
【請求項１３】
前記結合部材は、少なくとも前記シャーシーベースの両端に対応して配置される第１結合部材と第２結合部材とを有することを特徴とする、請求項８に記載のプラズマディスプレイ装置。
【請求項１４】
プラズマディスプレイパネルと、
前記プラズマディスプレイパネルを支持するシャーシーベースと、
前記シャーシーベースの一側に備えられる印刷回路ボードアセンブリーと、
前記プラズマディスプレイパネルの電極と前記印刷回路ボードアセンブリーを電気的に接続する柔軟回路と、
前記柔軟回路に備えられるドライバー集積回路と、
前記柔軟回路および前記ドライバー集積回路を覆うように直角に折れ曲がる第１プレートと第２プレートを含むカバープレートと、
前記第２プレートから前記シャーシーベースに向かって開放され、前記シャーシーベースの一端を収容して支持する収容溝を含む結合部を有することを特徴とする、プラズマディスプレイ装置。
【請求項１５】
前記結合部は、前記シャーシーベースの１辺に対応し、前記第２プレートの長さ全体に対応して形成されていることを特徴とする、請求項１４に記載のプラズマディスプレイ装置。
【請求項１６】
前記収容溝は、少なくとも前記シャーシーベースの両端耳部に対応して形成されていることを特徴とする、請求項１４に記載のプラズマディスプレイ装置。
【請求項１７】
プラズマディスプレイパネルと、
前記プラズマディスプレイパネルを支持するシャーシーベースと、
前記シャーシーベースの一側に備えられる印刷回路ボードアセンブリーと、
前記プラズマディスプレイパネルの電極と前記印刷回路ボードアセンブリーを電気的に接続する柔軟回路と、
前記柔軟回路に備えられるドライバー集積回路と、
前記柔軟回路および前記ドライバー集積回路を覆うように直角に折れ曲がる第１プレートと第２プレートを含むカバープレートと、
前記第２プレートと前記シャーシーベースに向かって開放され、前記第２プレートと前記シャーシーベースの一端をそれぞれ収容して支持する第１収容溝と第２収容溝を含む結合部材を有することを特徴とする、プラズマディスプレイ装置。
【請求項１８】
前記第１収容溝は、前記第２プレートの長手方向に沿って前記結合部材全体の長さにわたって形成され、
前記第２収容溝は、前記シャーシーベースの長手方向に沿って前記結合部材全体の長さにわたって形成されることを特徴とする、請求項１７に記載のプラズマディスプレイ装置。
【請求項１９】
前記第１収容溝は、前記第２プレートの一側端を覆うように一側を閉鎖して形成され、
前記第２収容溝は、前記シャーシーベースの一側端を覆うように一側を閉鎖して形成されていることを特徴とする、請求項１７に記載のプラズマディスプレイ装置。
【請求項２０】
前記結合部材は、少なくとも前記シャーシーベースの両端に対応して配置される第１結合部材と第２結合部材とを有することを特徴とする、請求項１７に記載のプラズマディスプレイ装置。
【発明の詳細な説明】
【技術分野】
【０００１】
本発明はプラズマディスプレイ装置に関し、より詳細には、シャーシーベースとカバープレートの間に位置するドライバー集積回路のクラック発生および破損を防止するプラズマディスプレイ装置に関する。
【背景技術】
【０００２】
周知のように、プラズマディスプレイ装置は、プラズマディスプレイパネルに映像を表示する装置である。プラズマディスプレイパネルの電極（例えば、表示電極とアドレス電極）は、柔軟回路（所定曲率まで曲げても破損しない回路）を介して印刷回路ボードアセンブリーに電気的に接続されている。
【０００３】
ドライバー集積回路は、柔軟回路に実装されており、印刷回路ボードアセンブリーから伝達される制御信号により、プラズマディスプレイパネルの電極（例えば、アドレス電極）に選択的に電圧信号を印加する。
【０００４】
柔軟回路とドライバー集積回路を連結する構造としては、印刷回路ボードの上にドライバー集積回路を備えたＣＯＢ（Ｃｈｉｐ
ｏｎ Ｂｏａｒｄ）、柔軟回路を構成するフィルム上にドライバー集積回路を備えたＣＯＦ（Ｃｈｉｐ ｏｎ Ｆｉｌｍ）とＴＣＰ（Ｔａｐｅ Ｃａｒｒｉｅｒ Ｐａｃｋａｇｅ）がある。
【０００５】
ＣＯＦに比べて、ＴＣＰは費用を節減することができる。ＴＣＰは、小型ドライバー集積回路を使用するが、放熱器具を備えていない。このためＴＣＰはＣＯＦに比べて放熱特性が低い。ドライバー集積回路を保護し、放熱特性を向上させるために、ＴＣＰにはカバープレートが使用される。
【０００６】
例えば、ドライバー集積回路は、カバープレートとシャーシーベースとの間に位置する。ドライバー集積回路の両面にはサーマルグリース（伝熱用グリース）および放熱パッドがそれぞれ追加される。これにより、ドライバー集積回路で発生する熱がサーマルグリースまたは放熱パッドを介してシャーシーベースまたはカバープレートに伝達発散される。
【０００７】
カバープレートは、シャーシーベースの一辺に対応する長さを有し、柔軟回路およびドライバー集積回路を取り囲みながら、シャーシーベースに備えられた複数の装着ポイントにセットスクリュー（止めねじ）で装着される。
【０００８】
カバープレートをシャーシーベースに装着する際に、説明を容易にするために、カバープレートは、セットスクリューで締結される部分と締結されない両端部とに分けられる。セットスクリューで締結される部分に比べて、両端部はシャーシーベースにおいて堅固な支持構造を形成できず、高い自由度を有する。このため、カバープレートの両端部は、シャーシーベースに対して押し引きされる。
【発明の開示】
【発明が解決しようとする課題】
【０００９】
これにより、ドライバー集積回路は、シャーシーベースとカバープレートとの間で剪断応力や圧縮応力等を成分とする複雑な振動応力を受けるようになる。この剪断応力等によりドライバー集積回路にクラックを生じ、酷い場合にはドライバー集積回路が破損してしまうという問題があった。このような、アドレス電極に接続されるドライバー集積回路の破損は、プラズマディスプレイパネルの垂直ライン（ｖｅｒｔｉｃａｌ
ｌｉｎｅ）不良を生じさせてしまう。
【００１０】
そこで、本発明は、上記問題に鑑みてなされたものであり、本発明の目的とするところは、シャーシーベースとカバープレートとの間に位置するドライバー集積回路のクラック発生および破損を防止することが可能な、新規かつ改良されたプラズマディスプレイ装置を提供することにある。
【課題を解決するための手段】
【００１１】
上記課題を解決するために、本発明のある観点によれば、プラズマディスプレイパネルと、前記プラズマディスプレイパネルを支持するシャーシーベースと、前記シャーシーベースの一側に備えられる印刷回路ボードアセンブリーと、前記プラズマディスプレイパネルの電極と前記印刷回路ボードアセンブリーを電気的に接続する柔軟回路と、前記柔軟回路に備えられるドライバー集積回路と、前記柔軟回路および前記ドライバー集積回路を覆いながら前記シャーシーベースに装着されるカバープレートとを有し、前記カバープレートの一側の第１延長線と前記シャーシーベースの一側の第２延長線とが互いに交差する位置に提供され、前記カバープレートと前記シャーシーベースを互いに結合させる結合部を有するプラズマディスプレイ装置が提供される。
【００１２】
前記カバープレートは、前記シャーシーベースと平行な第１プレートと、前記第１プレートで折れ曲がり前記シャーシーベースの前記第２延長線と交差する前記第１延長線を形成する第２プレートとを有してもよい。
【００１３】
前記結合部は、前記第２プレートに一体に形成されていてもよい。前記結合部は、前記第２プレートから前記シャーシーベースに向けて突出しており、前記シャーシーベースの一端を収容して支持する収容溝を有していてもよい。
【００１４】
前記収容溝は、少なくとも前記シャーシーベースの両端に対応して形成されていてもよい。前記収容溝は、前記第２プレートの長さ全体にわたって形成されていてもよい。前記シャーシーベースは、前記収容溝に対応する部分に形成される耳部を有し、前記耳部は前記収容溝に少なくとも部分的に挿入されていてもよい。
【００１５】
前記結合部は、前記第２プレートおよび前記シャーシーベースから分離形成され、前記第２プレートと前記シャーシーベースの隣接する両端を互いに結合する結合部材で形成されていてもよい。前記結合部材は、前記第２プレートに向かって前記第２プレートの一端を受容支持する第１収容溝と、前記シャーシーベースに向かって前記シャーシーベースの一端を受容支持する第２収容溝とを有していてもよい。
【００１６】
前記シャーシーベースは、前記第２収容溝に対応する部分に形成される耳部を有し、前記耳部は、前記第２収容溝に少なくとも部分的に挿入されていてもよい。前記第１収容溝は、前記第２プレートの長手方向に沿って前記結合部材の長さ全体にわたって形成され、前記第２収容溝は、前記シャーシーベースの長手方向に沿って前記結合部材の長さ全体にわたって形成されていてもよい。
【００１７】
前記第１収容溝は、前記第２プレートの一側端を覆うように一側を閉鎖して形成され、前記第２収容溝は、前記シャーシーベースの一側端を覆うように一側を閉鎖して形成されている。前記結合部材は、少なくとも前記シャーシーベースの両端に対応して配置される第１結合部材と第２結合部材とを有してもよい。
【００１８】
上記課題を解決するために、本発明の別の観点によれば、プラズマディスプレイパネルと、前記プラズマディスプレイパネルを支持するシャーシーベースと、前記シャーシーベースの一側に備えられる印刷回路ボードアセンブリーと、前記プラズマディスプレイパネルの電極と前記印刷回路ボードアセンブリーを電気的に接続する柔軟回路と、前記柔軟回路に備えられるドライバー集積回路と、前記柔軟回路および前記ドライバー集積回路を覆うように直角に折れ曲がる第１プレートと第２プレートを含むカバープレートと、前記第２プレートから前記シャーシーベースに向かって開放され、前記シャーシーベースの一端を収容して支持する収容溝を含む結合部を有するプラズマディスプレイ装置が提供される。
【００１９】
前記結合部は、前記シャーシーベースの１辺に対応し、前記第２プレートの長さ全体に対応して形成されてもよい。
【００２０】
上記課題を解決するために、本発明の別の観点によれば、プラズマディスプレイパネル、前記プラズマディスプレイパネルを支持するシャーシーベース、前記シャーシーベースの一側に備えられる印刷回路ボードアセンブリー、前記プラズマディスプレイパネルの電極と前記印刷回路ボードアセンブリーを電気的に接続する柔軟回路、前記柔軟回路に備えられるドライバー集積回路、前記柔軟回路および前記ドライバー集積回路を覆うように直角に折れ曲がる第１プレートと第２プレートを含むカバープレート、および前記第２プレートと前記シャーシーベースに向かって開放され、前記第２プレートと前記シャーシーベースの一端をそれぞれ収容して支持する第１収容溝と第２収容溝を含む結合部材を有するプラズマディスプレイ装置が提供される。
【発明の効果】
【００２１】
以上説明したように本発明によれば、プラズマディスプレイ装置の柔軟回路とドライバー集積回路を覆うように、シャーシーベースに装着されるカバープレートとシャーシーベースを結合部または結合部材で互いに結合するため、シャーシーベースにおけるカバープレートの支持構造を補強することができる。
【発明を実施するための最良の形態】
【００２２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
（第１実施形態）
【００２３】
図１は本発明の第１実施形態に係るプラズマディスプレイ装置の分解斜視図であり、図２は図１のＩＩ-ＩＩ線に沿った断面図である。本実施形態にかかるプラズマディスプレイ装置は、シャーシーベースとカバープレートとの間に位置するドライバー集積回路のクラック発生および破損を防止し、また、本発明はシャーシーベースによりカバープレートの支持構造を補強し、カバープレートの周囲で発生する騒音を低減することを目的としている。
【００２４】
図１および図２を参照すれば、本発明の実施形態に係るプラズマディスプレイ装置は、プラズマディスプレイパネル１１（以下、ＰＤＰという）、放熱シート１３、シャーシーベース１５、および印刷回路ボードアセンブリー１７を有して構成されている。
【００２５】
ＰＤＰ１１は、前面基板１１ａと背面基板１１ｂを有し、気体放電により画像を表示する。ＰＤＰ１１の一般的な構成および機能は既に知られている。本発明の実施形態は、ＰＤＰ１１自体だけでなく、ＰＤＰ１１を支持する別の構成要素の結合関係を開示している。よってＰＤＰ１１の一般的な構成要素に関する具体的な説明は省略する。
【００２６】
放熱シート１３は、ＰＤＰ１１の背面に備えられ、ＰＤＰ１１の内部で発生する熱を速やかに拡散し、ＰＤＰ１１の全体平面に対する熱平衡を実現する。例えば、放熱シート１３はアクリル系放熱材、グラファイト（ｇｒａｐｈｉｔｅ）系放熱材、金属系放熱材、または炭素ナノチューブ系放熱材からなることができる。
【００２７】
図２を参照すれば、シャーシーベース１５は、ＰＤＰ１１の背面に両面テープ１４を介在して付着され、ＰＤＰ１１を支持する。例えば、シャーシーベース１５は、ＰＤＰ１１の背面で重なり合うメインシャーシー１５１と、メインシャーシー１５１の下端から折れ曲がって延長形成されるサブシャーシー１５２を含む。
【００２８】
サブシャーシー１５２は、メインシャーシー１５１の背面から突出する第１突出部１５３、メインシャーシー１５１と平行方向に第１突出部１５３から延長される平行部１５４、および平行部１５４からＰＤＰ１１に向かって突出する第２突出部１５５を有する。すなわち、サブシャーシー１５２は、メインシャーシー１５１の１辺に折曲形成されており、平行部１５４とＰＤＰ１１の間に既に設定された大きさの空間（Ｓ）を形成する。
【００２９】
再び図１を参照すれば、印刷回路ボードアセンブリー１７は、シャーシーベース１５の背面に装着されてＰＤＰ１１の電極に電気的に接続されている。図２にはアドレス電極１２が示されており、表示電極は省略した。
【００３０】
印刷回路ボードアセンブリー１７は、シャーシーベース１５に複数備えられるボス１８上に置かれ、このボス１８に締結されるセットスクリュー１９で装着される。印刷回路ボードアセンブリー１７は、表示電極のうち維持電極（図示せず）を制御する維持電極駆動ボード１７ａ、表示電極のうち走査電極（図示せず）を制御する走査電極駆動ボード１７ｂ、およびアドレス電極１２を制御するアドレスバッファーボード１７ｃを有する。
【００３１】
印刷回路ボードアセンブリー１７は、外部から映像信号を受信し、アドレス電極１２の駆動に必要な制御信号と、維持電極および走査電極駆動に必要な制御信号を生成し、該当印刷回路ボードアセンブリーそれぞれに印加するロジックボード１７ｄと、さらに、この印刷回路ボードアセンブリーの駆動に必要な電源を供給するパワーサプライボード１７ｅを有する。
【００３２】
維持電極駆動ボード１７ａは、維持電極に柔軟回路により接続され、走査電極駆動ボード１７ｂは、走査電極に柔軟回路により接続される（図示せず）。アドレスバッファーボード１７ｃは、柔軟回路２７を介してアドレス電極１２に接続される。
【００３３】
ここで、維持電極と維持電極駆動ボード１７ａの連結構造、走査電極と走査電極駆動ボード１７ｂの連結構造、および各連結構造周囲に関する説明は省略する。本実施形態では、アドレス電極１２とアドレスバッファーボード１７ｃを連結する柔軟回路２７およびその周囲について説明する。
【００３４】
例えば、柔軟回路２７には、アドレス電極１２の制御信号を発生するドライバー集積回路２５が実装され、例えば、ＴＣＰを形成することができる。カバープレート３１は、柔軟回路２７およびドライバー集積回路２５を覆いながらシャーシーベース１５にセットスクリュー１９で装着される。カバープレート３１は、アドレス電極１２とアドレスバッファーボード１７ｃを連結する柔軟回路２７と、これに実装されたドライバー集積回路２５を保護する。このため、柔軟回路２７とドライバー集積回路２５は、シャーシーベース１５とカバープレート３１との間に位置する。より詳細には、柔軟回路２７とドライバー集積回路２５は、サブシャーシー１５２とカバープレート３１の間に位置する。
【００３５】
次に、カバープレート３１について具体的に説明する。例えば、カバープレート３１は、第１プレート３１１と第２プレート３１２を有する。第１プレート３１１は、シャーシーベース１５、すなわちメインシャーシー１５１およびサブシャーシー１５２と互いに平行であり、第２プレート３１２は、第１プレート３１１で折曲形成される。第１プレート３１１と第２プレート３１２は既に設定された角度で折曲され、例えば、直角に折曲されている。
【００３６】
図２の断面図に示すように、カバープレート３１において、第２プレート３１２は端部に仮想の第１延長線（ＥＬ１）を形成し、シャーシーベース１５はサブシャーシー１５２の端部にメインシャーシー１５１の方向に仮想の第２延長線（ＥＬ２）を形成している。第１プレート３１１と第２プレート３１２が互いに交差し、第１プレート３１１とシャーシーベース１５が互いに平行である場合には、第１延長線（ＥＬ１）と第２延長線（ＥＬ２）は互いに直交する。
【００３７】
カバープレート３１とシャーシーベース１５との間に位置するドライバー集積回路２５は、駆動時発生する熱の放出構造を形成する。放熱パッド４１とサーマルグリース４２は、ドライバー集積回路２５の両側にそれぞれ提供され、ドライバー集積回路２５をカバープレート３１とシャーシーベース１５のそれぞれに熱的に連結している。
【００３８】
例えば、放熱パッド４１は、ドライバー集積回路２５とサブシャーシー１５２の第２突出部１５５の間に介在し、サーマルグリース４２は、ドライバー集積回路２５とカバープレート３１の第２プレート３１２との間に介在している。
【００３９】
これによってドライバー集積回路２５は、第２突出部１５５と第２プレート３１２との間で剪断応力を受けなくなれば、ＰＤＰ１１側に押されたり、クラックおよび破損が発生したりしない。
【００４０】
本実施形態のプラズマディスプレイ装置は、セットスクリュー１９によりカバープレート３１をシャーシーベース１５に装着する構造と共に、カバープレート３１とシャーシーベース１５を互いに結合させる結合部５０をさらに有する。
【００４１】
結合部５０は、カバープレート３１から延長する仮想の第１延長線（ＥＬ１）とシャーシーベース１５から延長する仮想の第２延長線（ＥＬ２）の交差位置に提供され、シャーシーベース１５とカバープレート３１の結合支持構造をより堅固にする。
【００４２】
実質的に、結合部５０は、カバープレート３１における第２プレート３１２の自由端をシャーシーベース１５におけるメインシャーシー１５１の自由端に連結するので、メインシャーシー１５１と第２プレート３１２との間で相対移動が発生することを遮断する。
【００４３】
結合部は、カバープレートおよびシャーシーベースのいずれか一側にのみ一体に形成され、他の一側と分離されたり（第１実施形態）、両側共に分離形成されることができる（第２実施形態および第３実施形態参照）。
【００４４】
図３は第１実施形態に適用されるカバープレートの斜視図である。図３を参照すれば、結合部５０は、カバープレート３１に一体に形成され、より詳しくは、第２プレート３１２に一体に形成されている。
【００４５】
結合部５０は、第２プレート３１２でシャーシーベース１５およびメインシャーシー１５１に向かって突出し、突出した部分に形成された収容溝５０ａを有する。収容溝５０ａは、シャーシーベース１５およびメインシャーシー１５１の一端を収容して支持する。
【００４６】
収容溝５０ａは、少なくともシャーシーベース１５の両端に対応して形成されることができ、図２には第２プレート３１２の長さ全体にわたって形成されている。この収容溝５０ａ、結合部５０および第２プレート３１２を有するカバープレート３１は、圧出または引発のような連続工程により成形された素材を切断して形成されることができる。
【００４７】
図４はシャーシーベースとカバープレートの結合構造を示した部分斜視図である。図４を参照すれば、シャーシーベース１５は、四角形のメインシャーシー１５１の４つの曲がり角らからそれぞれ突出している耳部１５６を有する。このため、シャーシーベース１５およびメインシャーシー１５１の一側、例えば、耳部１５６は、結合部５０の収容溝５０ａに部分的に挿入される。
【００４８】
シャーシーベースは、２個の耳部の間に別の突出部（図示せず）を形成し、結合部の収容溝に挿入される（図示せず）。この場合、シャーシーベースとカバープレートはより堅固な結合および支持構造を形成する。
【００４９】
本実施形態にかかるプラズマディスプレイ装置によれば、柔軟回路とドライバー集積回路を覆うように、シャーシーベースに装着されるカバープレートとシャーシーベースを結合部または結合部材で互いに結合するため、シャーシーベースにおけるカバープレートの支持構造を補強することができる。また、支持構造の補強によりカバープレートのスライディングを防止し、シャーシーベースとカバープレートの間に位置するドライバー集積回路に剪断応力が作用することを防止することにより、ドライバー集積回路のクラック発生および破損を防止することができる。その結果、ドライバー集積回路は、アドレス電極に正常的な信号を印加し、さらに、垂直ライン不良を防止することができる。また、支持構造の補強により、カバープレート周囲で発生する騒音を低減することができる。
（第２実施形態）
【００５０】
図５は本発明の第２実施形態に係る断面図である。全体的構成および作用効果において、第２実施形態と第１実施形態は互いに類似あるいは同一部分に関する説明を省略し、互いに異なる部分について特に説明する。
【００５１】
第１実施形態の結合部５０は、カバープレート３１、すなわち第２プレート３１２に一体に形成され、第２実施形態の結合部は、別の結合部材５１により形成される。すなわち、結合部材５１は、第２プレート３１２およびシャーシーベース１５から独立的に分離形成され、第２プレート３１２とシャーシーベース１５で互いに隣接する両端を結合する。
【００５２】
結合部材５１は、第１収容溝５１ａと第２収容溝５１ｂを含む。第１収容溝５１ａは、第２プレート３１２に向かって突出する部分に形成され、第２プレート３１２の一端を受容支持する。
【００５３】
第２収容溝５１ｂは、シャーシーベース１５に向かって突出する部分に形成され、シャーシーベース１５の一端を受容支持する。すなわち、第２収容溝５１ｂにはメインシャーシー１５１から突出形成される耳部１５６が部分的に挿入支持される。結合部材５１を介し、カバープレート３１および第２プレート３１２は、シャーシーベース１５およびメインシャーシー１５１の耳部１５６に堅固に結合支持される。
【００５４】
図６は第２実施形態に係るカバープレートと結合部材の分解斜視図である。図６を参照すれば、第１収容溝５１ａは、第２プレート３１２の長手方向に沿って結合部材５１の長さ全体にわたって形成されている。第２収容溝５１ｂは、シャーシーベース１５の長手方向に沿って結合部材５１の長さ全体にわたって形成されている。
【００５５】
図７は、シャーシーベースとカバープレートおよび結合部材の結合構造を示した部分斜視図である。図７を参照すれば、第１収容溝５１ａは、第２プレート３１２の挿入を容易にし、第２収容溝５１ｂは、メインシャーシー１５１の耳部１５６の挿入を容易にする。
【００５６】
再び図６を参照すれば、結合部材５１は少なくともシャーシーベース１５の両端に対応して配置される第１結合部材５１１および第２結合部材５１２を有する。第１結合部材５１１は、第２プレート３１２の一端と、これに対応する耳部１５６とを互いに結合させる。第２結合部材５１２は、第１結合部材５１１の反対側において第２プレート３１２の一端とこれに対応する耳部１５６を互いに結合させる。これにより、シャーシーベース１５とカバープレート３１とが堅固に結合支持される。
（第３実施形態）
【００５７】
図８は、本発明の第３実施形態に係るシャーシーベースとカバープレートおよび結合部材の結合構造を示した部分斜視図である。全体的構成および作用効果において、第３実施形態は第２実施形態と類似あるいは同一部分に対する説明は省略し、互いに異なる部分について説明する。
【００５８】
結合部材５２において、第１収容溝５２ａと第２収容溝５２ｂの一側はそれぞれ閉鎖されている。第１収容溝５２ａは、第２プレート３１２の一側端部を覆うように第２プレート３１２の端に対応する部分を閉鎖して形成する。第２収容溝５２ｂは、シャーシーベース１５の一側端部を覆うようにシャーシーベース１５の一側に対応する部分を閉鎖して形成する。
【００５９】
上記第２実施形態および第３実施形態によれば、結合部材がシャーシーベースの両端にのみ形成される。これにより、シャーシーベースの長手方向全体にわたって形成される第１実施形態に比べプラズマディスプレイ装置の全体重量を減少させることが可能となる。また、第２実施形態および第３実施形態の結合部材は、シャーシーベース及びカバープレートとは別に形成されるため、既存の構造のプラズマディスプレイ装置に結合して使用することが可能となる。これにより、プラズマディスプレイ装置の構造変更による費用増加を防止できる。
【００６０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図面の簡単な説明】
【００６１】
【図１】本発明の第１実施形態にかかるプラズマディスプレイ装置の分解斜視図である。
【図２】同実施形態にかかる図１のＩＩ-ＩＩ線に沿った断面図である。
【図３】同実施形態にかかるカバープレートの斜視図である。
【図４】同実施形態にかかるシャーシーベースとカバープレートの結合構造を示した部分斜視図である。
【図５】本発明の第２実施形態にかかる断面図である。
【図６】同実施形態にかかるカバープレートと結合部材の分解斜視図である。
【図７】同実施形態にかかるシャーシーベースとカバープレートおよび結合部材の結合構造を示した部分斜視図である。
【図８】本発明の第３実施形態にかかるシャーシーベースとカバープレートおよび結合部材の結合構造を示した部分斜視図である。
【符号の説明】
【００６２】
１１    プラズマディスプレイパネル
１１ａ  前面基板
１１ｂ  背面基板
１２    アドレス電極
１３    放熱シート
１４    両面テープ
１５    シャーシーベース
１５１  メインシャーシー
１５２  サブシャーシー
１５３  第１突出部
１５４  平行部
１５５  第２突出部
１５６  耳部
Ｓ      空間
１７    印刷回路ボードアセンブリー
１７ａ  維持電極駆動ボード
１７ｂ  走査電極駆動ボード
１７ｃ  アドレスバッファーボード
１７ｄ  ロジックボード
１７ｅ  パワーサプライボード
１８    ボス
１９    セットスクリュー
２５    ドライバー集積回路
２７    柔軟回路
３１    カバープレート
３１１  第１プレート
３１２  第２プレート
４１    放熱パッド
４２    サーマルグリース
５０    結合部
５０ａ  収容溝
５１、５２  結合部材
５１ａ、５２１ａ  第１収容溝
５１ｂ、５２１ｂ  第２収容溝
５１１  第１結合部材
５１２  第２結合部材
ＥＬ１  第１延長線
ＥＬ２  第２延長線
【図１】
2009128898.tif 000003
【図２】
2009128898.tif 000004
【図３】
2009128898.tif 000005
【図４】
2009128898.tif 000006
【図５】
2009128898.tif 000007
【図６】
2009128898.tif 000008
【図７】
2009128898.tif 000009
【図８】
2009128898.tif 000010